(57)【要約】【課題】ばね片の位置、傾き、弾性力を適正に調整可能な雌端子を提供する。【解決手段】雄端子を受容する筒状の雄端子接続部を有する雌端子において、前記雄端子接続部が、底板１６と、該底板１６の一方側の一端側を折曲部として前記底板１６に連続し前記底板１６に重ねて折り曲げ加工されたばね片１４と、前記底板１６の他方側に連続して折り曲げ加工された第１側板１８と、該第１側板１８に連続して折り曲げ加工された天板２０と、該天板２０に連続して折り曲げ加工された第２側板２２とにより構成され、前記ばね片１４の基部に位置調整リブ２４が設けられ、前記第１側板１８に前記位置調整リブ２４と係合する切欠２６が形成され、前記位置調整リブ２４と前記切欠２６が複数の位置で係合可能である。【選択図】図１
2008123740.tif 000002
【特許請求の範囲】
【請求項１】
雄端子を受容する筒状の雄端子接続部を有する雌端子において、
前記雄端子接続部が、底板と、該底板の一方側の一端側を折曲部として前記底板に連続し前記底板に重ねて折り曲げ加工されたばね片と、前記底板の他方側に連続して折り曲げ加工された第１側板と、該第１側板に連続して折り曲げ加工された天板と、該天板に連続して折り曲げ加工された第２側板とにより構成され、前記ばね片の基部に位置調整リブが設けられ、前記第１側板に前記位置調整リブと係合する切欠が形成され、前記位置調整リブと前記切欠が複数の位置で係合可能であることを特徴とする雌端子。
【請求項２】
前記切欠の縁部に複数の係止突起を有することを特徴とする請求項１記載の雌端子。
【請求項３】
前記ばね片の折曲部が、前記雄端子接続部の折曲部と平行であることを特徴とする請求項１記載の雌端子。
【発明の詳細な説明】
【技術分野】
【０００１】
本発明は、電気回路に使用され雄端子と接触される雌端子に関する。
【背景技術】
【０００２】
従来、電気回路の接続に使用するコネクタに装着される雌端子は、銅、黄銅等の金属板を打ち抜き、折曲加工して雄端子受容部となる本体部を形成し、この本体部内にばね片を装着して相手側の雄端子を受容するようにしたものがある（例えば、特許文献１参照）。
【０００３】
図１４は特許文献１の雌端子の斜視図である。
この雌端子１００は、端子本体部１０２とばね片１０４との２つの部材からなるので、金型も２つ必要であり、製造工程が煩雑であった。また、ばね片１０４を本体部１０２に組み込み時又は組み込み後にばね片１０４が変形し易いので、信頼性が低いという問題があった。
【０００４】
そこで、１枚の金属板を折り曲げ加工することにより構成した雌端子が提案されている（例えば、特許文献２参照）。この雌端子は、図１５に示すような所定形状に打ち抜いた金属板１０６を曲げ加工するだけで、図１６に示すようにばね片１０８を組み込んだ筒状の雌端子１１０を形成することができる。
【０００５】
【特許文献１】特開平１０−３１２８４４号公報（図１）
【特許文献２】特開２００３−３３１９６６号公報（図２、図４）
【発明の開示】
【発明が解決しようとする課題】
【０００６】
しかし、上述の如き雌端子１００，１１０は、ばね片１０４，１０８を折り曲げたり、筒体を形成したときに、ばね片１０４，１０８がねじれて折り曲げられると、ばね片１０４，１０８の位置や傾きや弾性力が設定と異なってしまうという問題がある。
【０００７】
そこで、本発明の目的は、上記問題を解決することにあり、ばね片がねじれて折り曲げられたり、設定と異なって折り曲げられたときに、ばね片の位置、傾き、弾性力を適正に調整可能な雌端子を提供することにある。
【課題を解決するための手段】
【０００８】
本発明の上記目的は、下記構成により達成される。
（１）  雄端子を受容する筒状の雄端子接続部を有する雌端子において、
前記雄端子接続部が、底板と、該底板の一方側の一端側を折曲部として前記底板に連続し前記底板に重ねて折り曲げ加工されたばね片と、前記底板の他方側に連続して折り曲げ加工された第１側板と、該第１側板に連続して折り曲げ加工された天板と、該天板に連続して折り曲げ加工された第２側板とにより構成され、前記ばね片の基部に位置調整リブが設けられ、前記第１側板に前記位置調整リブと係合する切欠が形成され、前記位置調整リブと前記切欠が複数の位置で係合可能であることを特徴とする雌端子。
【０００９】
（２）  前記切欠の縁部に複数の係止突起を有することを特徴とする前記（１）記載の雌端子。
【００１０】
（３）  前記ばね片の折曲部が、前記雄端子接続部の折曲部と平行であることを特徴とする前記（１）記載の雌端子。
【００１１】
前記（１）の構成によれば、ばね片の基部に設けられた位置調整リブが、第１側板に形成された切欠に係合してばね片の位置が調整されるので、雄端子受容部を形成するとき等にばね片がねじれたりして位置、傾き、弾性力が設定と変わってしまった場合にも、ばね片を適正な組み込み状態に矯正することができる。
【００１２】
前記（２）の構成によれば、切欠の縁部に設けられた複数の係止突起により、位置調整リブを複数の異なる位置で係止することができ、ばね片の位置を複数位置に調整することができる。
【００１３】
前記（３）の構成によれば、雄端子受容部の形成とばね片の組み込みとを、同じ方向への繰り返しの曲げ加工により実行することができるので、加工工程が簡略であり雌端子を容易に形成することができる。
【発明の効果】
【００１４】
本発明によれば、雄端子受容部内にばね片が設定と異なる状態に組み込まれても、ばね片の位置を容易に調整して矯正することができ、ばね片の正確な動作を保証することができる、信頼性の高い雌端子を提供することができる。
【発明を実施するための最良の形態】
【００１５】
以下、添付図面を参照して、本発明の一実施形態を説明する。
【００１６】
図１は本発明の実施形態である雌端子の斜視図、図２は雌端子の正面図、図３は図２のＡ−Ａ断面図、図４は雌端子の側面図、図５は雌端子を形成する金属板の展開図、図６〜図１１は雌端子を形成する工程図、図１２はばね片の位置調整部分の斜視図、図１３はばね片の位置調整部分の側面図である。
【００１７】
図１に示すように、雌端子１０は接続相手となる雄端子を受容する雄端子受容部１２内に、雄端子と弾性的に接触して電気接続状態を得るためのばね片１４が内蔵された構成である。図３に示すように、ばね片１４は片持ち状態に支持されて弾性力を発揮し、自由端側が山形形状に形成されて雄端子との接触部となっている。
【００１８】
そして、図示しない雄端子は、ばね片１４の弾性力に抗して図３中左方から雄端子受容部１２内に挿入され、ばね片１４と弾性接触することにより電気的接続が得られる。なお、この雌端子１０は、特定の電線接続部が設けられておらず、用途に応じて任意の電線接続部が基部側（図３中右側）に設けられ、電線と電気的に接続される。
【００１９】
雌端子１０の雄端子受容部１２は、雄端子を受容可能な筒状に形成され、底板１６と、第１側板１８、天板２０、第２側板２２とから構成されている。ばね片１４の基部には位置調整リブ２４が設けられており、また第１側壁１８の対応する部分には切欠２６が形成されている。そして、ばね片１４の基部に設けられた位置調整リブ２４が第１側板１８の切欠２６に係止されることにより、ばね片１４は組み付け位置が調整される。
【００２０】
位置調整リブ２４は図１２及び図１３に示すように、先端が両側に張り出した形状であり、一方、切欠２６には位置調整リブ２４の先端部両側を係止する複数の係止突起２８が形成されている。図１２の例では、一対の係止突起２８が形成されていることにより、位置調整リブ２６は、係止突起２８を乗り越える前の位置と、係止突起２８を乗り越えた位置との２つの位置に設定可能になっている。
【００２１】
そして、位置調整リブ２４が異なる位置で係止されることにより、位置調整リブ２４と一体であるばね片１４の自由端の位置が変わり、位置調整リブ２４によりばね片１４の位置を調整することにより、ばね片１４の適正な位置、姿勢、角度、弾性力が得られるようになる。
【００２２】
また、この係止突起２８を切欠２６の縁部に複数組設けることにより、位置調整リブ２６の係止位置を多段にすることができ、ばね片１４の更に細かい位置調整が可能になる。
【００２３】
なお、位置調整リブ２４が底板１６よりも下方に突出すると、雌端子１０の組付時の障害となったりして組み付けに制約がでてしまうので、位置調整リブ２４は底板１６よりも下方に突出しない範囲で係止位置を調整されることが好ましい。
【００２４】
次に、上記構成の雌端子の製造方法について説明する。
雌端子は図５に示す形状の１枚の導電性金属板３０を折り曲げ加工することにより形成される。まず最初に、導電性金属板３０を、組み立てたときに雌端子１０の形状となる図５及び図６に示す所定の形状に打ち抜く。導電性金属板３０は、ばね片１４、底板１６、第１側板１８、天板２０、第２側板２２と連続して展開されており、各部分の境界部が折曲部となっている。
【００２５】
ばね片１４は底板１６の一方側の一端側に連続して底板１６と同方向に延びている。第１側板１８は底板１６の他方側に連続し、天板２０は第１側板１８に連続し、第２側板２２は天板２０に連続している。ばね片１４には位置調整リブ２４が設けられ、第１側板１８には切欠２６が形成されている。
【００２６】
次に、図７に示すように、ばね片１４に弾性力が生じるように自由端部を山形の湾曲形状に曲げ加工する。次に、図８に示すように、ばね片１４を底板１６上に間隙を有して重なるように折り曲げる。
【００２７】
次に、図９に示すように、ばね片１４に設けられた位置調整リブ２４を、第１側壁１８の切欠２６内に折り曲げて、切欠２６により位置調整リブ２４を係止する。次に、図１０に示すように、第２側板２２を天板２０に対して折り曲げる。次に、図１１に示すように底板１６及び天板２０を第１側板１８に対して順次又は同時に折り曲げて製造が完了する。
【００２８】
上記実施形態によれば、ばね片１４に設けられた位置調整リブ２６が第１側板１８の切欠２６に係合することにより、ばね片１４の位置が調整される。したがって、組立加工時等にばね片１４の取付状態が設定と変わっても容易にばね片１４の位置を調整して矯正することができ、ばね片の正確な動作を保証することができる、信頼性の高い雌端子を提供することができる。
【００２９】
また、上記実施形態では、ばね片１４の組み込みと雄端子収容部１２の形成の際に、すべての部材が同じ方向に折り曲げられるので、加工工程が簡略であり雌端子１０を容易に形成することができ、また押圧動作等を実行する加工治具の移動方向が一方向でよく、製造装置の構成が簡略になる。
【図面の簡単な説明】
【００３０】
【図１】本発明の実施形態である雌端子の斜視図である。
【図２】雌端子の正面図である。
【図３】図２のＡ−Ａ断面図である。
【図４】雌端子の側面図である。
【図５】雌端子を形成する金属板の展開図である。
【図６】雌端子を形成する工程図である。
【図７】雌端子を形成する工程図である。
【図８】雌端子を形成する工程図である。
【図９】雌端子を形成する工程図である。
【図１０】雌端子を形成する工程図である。
【図１１】雌端子を形成する工程図である。
【図１２】ばね片の位置調整部分の斜視図である。
【図１３】ばね片の位置調整部分の側面図である。
【図１４】従来の雌端子の斜視図である。
【図１５】従来の雌端子の展開図である。
【図１６】従来の雌端子の部分断面図である。
【符号の説明】
【００３１】
１０，１００，１１０  雌端子
１２  雄端子収容部
１４，１０４，１０８  ばね片
１６  底板
１８  第１側板
２０  天板
２２  第２側板
２４  位置調整リブ
２６  切欠
２８  係止突起
３０，１０６  導電性金属板
【図１】
2008123740.tif 000003
【図２】
2008123740.tif 000004
【図３】
2008123740.tif 000005
【図４】
2008123740.tif 000006
【図５】
2008123740.tif 000007
【図６】
2008123740.tif 000008
【図７】
2008123740.tif 000009
【図８】
2008123740.tif 000010
【図９】
2008123740.tif 000011
【図１０】
2008123740.tif 000012
【図１１】
2008123740.tif 000013
【図１２】
2008123740.tif 000014
【図１３】
2008123740.tif 000015
【図１４】
2008123740.tif 000016
【図１５】
2008123740.tif 000017
【図１６】
2008123740.tif 000018